(57)【要約】      （修正有）【課題】アダプタの機能を具有でき、適用性がより好ましく、また信号コードによる邪魔される差込の操作を避けること。【解決手段】回転機能を具する複合アダプタ装置１は、一つの本体，一つの第1電気コネクター２，複数個の第2電気コネクター３と一つの導通ユニット４を含み、当該第1電気コネクターが当該本体上に回転可能に設置され、当該第2電気コネクターが当該本体上に固定的に設置され、当該導通ユニットが当該第1電気コネクターと当該少なくとも一つの第2電気コネクターを電気的に接続する。【選択図】図１
0003111622.tif 000002
【実用新案登録請求の範囲】
【請求項１】
回転機能を有する複合アダプタ装置は、一つの本体と、当該本体上に回転可能に設置される一つの第1電気コネクターと、当該本体上に固定的に設置される複数個の第2電気コネクターと、当該第1電気コネクターと当該少なくとも一つの第2電気コネクターを電気的に接続する一つの導通ユニットとを含むことを特徴とする回転機能を有する複合アダプタ装置。
【請求項２】
当該本体が一体成形される請求項1記載の回転機能を有する複合アダプタ装置。
【請求項３】
当該本体が上殻・下殻の方式により組合わせてなる請求項1記載の回転機能を有する複合アダプタ装置。
【請求項４】
当該本体に円形の組立孔を設け、当該第1電気コネクターの底部に円形の回転ホルダーを形成し、当該回転ホルダーが当該本体の組立孔の中に回転可能である請求項1記載の回転機能を有する複合アダプタ装置。
【請求項５】
当該本体の内部に収容空間が形成され、当該第1電気コネクターが複数個の信号端子を具有し、当該これらの信号端子がそれぞれ接触部に接続され、当該これらの接触部が当該収容空間中に延長して入り、導通ユニットが当該収容空間中に設置され、当該導通ユニットが回路基板を具有し、当該回路基板上に複数個の線路が設置され、当該これらの線路と当該これらの第2電気コネクターが電気的な接続を達成し、当該これらの線路の他端が当該第1電気コネクターの接触部の移動するルートの内に位置し、当該第1電気コネクターが回る時に、当該接触部が選択的に当該回路基板上の線路と接触・導通でき、当該第1電気コネクターを選択的に第2電気コネクターとの電気的な接続を達成できる請求項1記載の回転機能を有する複合アダプタ装置。
【請求項６】
当該本体の内部に収容空間が形成され、当該第1電気コネクターが複数個の信号端子を具有し、当該これらの信号端子がそれぞれ接触部に接続され、当該これらの接触部が当該収容空間中に延長されており、当該導通ユニットが当該収容空間中に設置され、当該導通ユニットが回路基板を具有し、当該回路基板上に複数個の線路が設置され、当該これらの線路と当該これらの第2電気コネクターが電気的な接続を達成し、当該これらの線路の他端が連続した丸い環状を呈する環状軌道に接続し、当該環状軌道が線路を介して全ての第2電気コネクターと同時に電気的な接続を達成し、当該環状軌道が当該第1電気コネクターの接触部の移動するルートの内に位置し、当該第1電気コネクターの接触部が回路基板上の線路、環状軌道を介して全ての第2電気コネクターと同時に電気的な接続を達成する請求項1記載の回転機能を有する複合アダプタ装置。
【請求項７】
当該第1電気コネクターは、コンセント，プラグ及び電気コネクターのいずれか一つである請求項1記載の回転機能を有する複合アダプタ装置。
【請求項８】
当該第1電気コネクターは、水平または垂直に設置される請求項1記載の回転機能を有する複合アダプタ装置。
【請求項９】
当該これらの第2電気コネクターは、プラグ，コンセント及び電気コネクターのいずれか一つである請求項1記載の回転機能を有する複合アダプタ装置。
【請求項１０】
当該本体上に表示灯が設けられる請求項1記載の回転機能を有する複合アダプタ装置。
【請求項１１】
当該第1電気コネクターは、信号コードにより当該導通ユニットに接続される請求項1記載の回転機能を有する複合アダプタ装置。
【考案の詳細な説明】
【技術分野】
【０００１】
本考案は、回転機能を有する複合アダプタ装置に関し、特にアダプタの機能を具有し、その適用性がより好ましく且つ信号コードにより邪魔される差込の操作を避けることが出来る複合アダプタ装置を指す。
【背景技術】
【０００２】
よって従来の信号コードが電子装置に電気的に接続すべき時は、一般に信号コード80の一端に設置されたプラグ81を利用し（例えば図7）、電子装置上に対応するコンセントに差込み、プラグ81とコンセントとの電気的な接続により、信号コード80と電子装置との間に電気的な接続を達成する。しかし、当該信号コード80の一端のプラグ81が電子装置のコンセント規格、形式と異なる時になれば、アダプタ・ヘッド82によりプラグ81とコンセントとの電気的な接続を完成する必要がある。ただし従来のアダプタ・ヘッド82は単一の規格、形式のみを具有し、適用性がより悪い。
【０００３】
従って、複数個のアダプタ・プラグを具有するアダプタ装置の応用を生成するが、当該アダプタ装置90は、本体91の上に一つのコンセントと複数個のプラグ92が強固に設けられ（例えば図8）、当該これらのプラグ92が多種の異なる規格、形式のプラグで、当該これらの本体91の上におけるプラグ92とコンセントが電気的な接続を達成する。そのために、信号コード93の一端のプラグ94とアダプタ装置90のコンセントを相互に差込むことができることにより、当該信号コード93とアダプタ装置90が電気的な接続を達成し、この時、アダプタ装置90の上における適当なプラグ92を選択可能に使用して電子装置95のコンセントに差込むことにより、当該信号コード93がアダプタ装置90を介して電子装置95との電気的な接続を達成できる。ただし、当該アダプタ装置90のコンセントとプラグ92との間は固定形態になるため、当該アダプタ装置90を実際に使用する時に、当該アダプタ装置90の選用されたプラグ92は信号コード93に接近する箇所に位置すれば、当該信号コード93は、当該アダプタ装置90のプラグ92を電子装置95のコンセントの上に差込む操作を邪魔し、当該アダプタ装置90と電子装置95との間における差込操作の不便をもたらす。
【０００４】
ゆえに、本考案者は、前述の欠点の改善可能性を感じるため、特に鋭意研究し且つ学理の運用に対応し、ついに設計が合理的で且つ前述の欠点を有効に改善する本考案を提出する。
【考案の開示】
【考案が解決しようとする課題】
【０００５】
本考案の主要な目的は、回転機能を有する複合アダプタ装置を提供することにあり、より好ましくは、信号コードにより邪魔される差込の操作を避けることが出来、当該アダプタ装置と電子装置の差込操作がより便利になる複合アダプタ装置を提供することにある。
【課題を解決するための手段】
【０００６】
前述の目的を達成するために、本考案は回転機能を有する複合アダプタ装置を提供し、一つの本体と、当該本体上に回転可能に設置される一つの第1電気コネクターと、当該本体上に固定的に設置される複数個の第2電気コネクターと、当該第1電気コネクターと当該少なくとも一つの第2電気コネクターを電気的に接続する一つの導通ユニットとを含む。
本考案の複数個の異なる規格、形式を具有する第2電気コネクターは、電子装置に電気的に接続するように用いられる。
【考案の効果】
【０００７】
本発明は、第1電気コネクターと第2電気コネクターとの間は回転可能な形態になり、信号コードによる邪魔される差込の操作を避けることが出来、当該アダプタ装置と電子装置との間における差込操作がより便利になる。
【考案を実施するための最良の形態】
【０００８】
本考案の特徴および技術内容をより詳しく示すために、以下の本考案に関する詳細な説明および添付の図面を参照する。ただし、添付の図面は参考と説明用に供するもので、本考案をより限定するためものではない。
【実施例】
【０００９】
図1と図2を参照し、本考案は回転機能を有する複合アダプタ装置を提供し、一つの本体1，一つの第1電気コネクター2，複数個の第2電気コネクター3と一つの導通ユニット4を含み、中でも当該本体1がプラスチック材料から製造された中空状殻体で、その外形が多角形，円形または他の適当な形状であることが出来、当該本体1の外形は限定されなく、また当該本体1は一体成形され、あるいは上殻・下殻の方式を利用し、組合わせてなることが出来るが、本実施例中において、当該本体1は一体成形され、且つ当該本体1が第2電気コネクター3の数に対応する五辺形である。当該本体1の一部、例えば頂部に円形の組立孔11を設け、当該第1電気コネクター2を組立てるために寄与するが、また当該本体1の内部に収容空間12が形成され、当該収容空間12が組立孔11と通じ合い、導通ユニット4又は他の装置を格納するように用いられることが出来る。
【００１０】
当該第1電気コネクター2は、コンセント，プラグ又は他の形式の電気コネクターで、且つ当該第1電気コネクター2が水平または垂直に設置されるが、本実施例中において、当該第1電気コネクター2がコンセントで且つ水平に設置される。当該第1電気コネクター2の底部に円形の回転ホルダー21を形成し、当該回転ホルダー21が当該本体1の頂部の組立孔11の中に回転可能に対応することにより、当該第1電気コネクター2が当該本体1の上に回転可能に設置され、当該第1電気コネクター2がそれぞれ複数個の導電材料により製造された信号端子22を具有することにより、信号の伝送に寄与し、当該これらの信号端子22の後端にそれぞれ一つの接触部23が接続され、当該これらの接触部23が当該本体1の収容空間12の中に延長されており、当該これらの第2電気コネクター3を選択的、電気的に接続するために寄与する。
【００１１】
当該これらの第2電気コネクター3は、各種の異なる形式、規格の電気コネクターで、プラグ，コンセント又は他の形式の電気コネクター（例えばUSB，IEEE  1394等の電気コネクター）であることができ、当該これらの第2電気コネクター3が当該本体1のエッジに固定的に設置され、当該第2電気コネクター3がそれぞれ複数個の導電材料により製造された信号端子31を具有することにより、信号の伝送に寄与する。
【００１２】
当該導通ユニット4は、収容空間12の中に設置され、当該導通ユニット4が当該第1電気コネクター2と当該少なくとも一つの第2電気コネクター3を電気的に接続するために用いられ、当該導通ユニット4が回路基板形式または導線形式であるが、本実施例中において、当該導通ユニット4が回路基板形式で、即ち当該導通ユニット4が一つの回路基板41を具有し、且つ当該回路基板41の上に印刷，電気めっき又は化学沈積などの方式を利用して複数個の線路42を設置するが、当該これらの線路42の一端がそれぞれ当該これらの第2電気コネクター3の信号端子31と電気的な接続を達成し、そして当該これらの線路42の他端がそれぞれ第1電気コネクター2の接触部23の移動するルートの内に位置し、このように当該第1電気コネクター2が回る時に、当該第1電気コネクター2の接触部23がつまり回転ホルダー21の軸心線を円心にして円周運動を行うことができることにより、当該接触部23が当該回路基板41の上における線路42に選択可能に接触・導通し、このように当該第1電気コネクター2の接触部23がつまり回路基板41の上における線路42を介し、対応する第2電気コネクター3の信号端子31と電気的な接続を達成でき、当該第1電気コネクター2が第2電気コネクター3と電気的な接続を選択可能に達成するが、当該導通ユニット4が導線形式であれば、導線により当該第1電気コネクター2と当該これらの第2電気コネクター3との間に接続され、前述の構成により本考案の回転機能を有する複合アダプタ装置を形成する。
【００１３】
例えば図3に示すように、本考案を実際に使用する時に、信号コード5の一端の第3電気コネクター（プラグ）51と本考案のアダプタ装置の第1電気コネクター2を相互に差込むことにより、当該信号コード5とアダプタ装置との電気的な接続を達成し、この時、アダプタ装置の上における適当な第2電気コネクター3を選択可能に使用して電子装置6の第4電気コネクター（コンセント）61に差込み、当該信号コード5がアダプタ装置を介して電子装置6と電気的な接続を達成できる。
【００１４】
ほかに図4を参照し、当該導通ユニット4の回路基板41の上における線路42の他端が連続した丸い環状を呈する環状軌道43に接続し、当該環状軌道43が線路42を介して全ての第2電気コネクター3と同時に電気的な接続を達成し、当該これらの線路42の他端の環状軌道43が電気コネクター2の接触部23の移動するルートの内に位置し、このように当該第1電気コネクター2が回る時に、当該電気コネクター2の接触部23がつまり回転ホルダー21の軸心線を円心にして円周運動を行うことができることにより、当該接触部23が環状軌道43を介して回路基板41の上に全ての線路42に接触・導通し、このように当該第1電気コネクター2の接触部23がつまり回路基板41の上における線路42，環状軌道43を介して全ての第2電気コネクター3の信号端子31と電気的な接続を達成できることにより、第1電気コネクター2がいつでも全ての第2電気コネクター3と同時に電気的な接続を達成する。
【００１５】
さらに図5を参照し、本実施例中において、当該本体1は矩形体で、且つ2個の第2電気コネクター3が設けられ、それぞれ当該本体1の相対的な二端に固定的に設置され、また当該本体1の上に一つの表示灯13が設けられ、その使用状態を表示するために用いられることができる。
【００１６】
さらに図5を参照し、本実施例中において、当該本体1は矩形体で、且つ2個の第2電気コネクター3が設けられ、それぞれ当該本体1の相対的な二端に固定的に設置され、また当該本体1の上に一つの表示灯13が設けられ、その使用状態を表示するために用いられることができる。
【００１７】
また図6を参照し、当該第1電気コネクター2も、一つの信号コード24により当該回転ホルダー21と導通ユニット4に接続できる。
【００１８】
本考案は、複数個の異なる規格、形式の第2電気コネクター3を具有し、電子装置に電気的に接続するように用いられ、適用性がより好ましく、且つ本考案のアダプタ装置の第1電気コネクター2と第2電気コネクター3との間は回転可能な形態になり、従って当該アダプタ装置を実際に使用する時に、当該アダプタ装置の第2電気コネクター3を電子装置6の第4電気コネクター61の上に差込む操作を信号コード5により邪魔することを避けることが出来、当該アダプタ装置と電子装置との間における差込操作がより便利になる。
【００１９】
上記を総合し、本考案は実に得難い実用新案の創作製品で、産業上における利用性，新規性と進歩性を極めて具し、完全に実用新案登録請求の要件に適合する。
【００２０】
しかしながら、以上の叙述はただ本考案のより好ましい実行可能な実施例であるが、これにより本考案の実用新案登録請求の範囲を限定するものではなく、従って例えば本考案の明細書および図面内容の運用による等価な構成変更の全てがいずれも同義的に本考案の実用新案登録請求の範囲の内に含まれるものである。
【図面の簡単な説明】
【００２１】
【図１】本考案の第1実施例の斜視図である。
【図２】図1の2−2断面図である。
【図３】本考案の第1実施例の使用状態の模式図である。
【図４】第2実施例の断面図である。
【図５】本考案の第3実施例の斜視図である。
【図６】本考案の第4実施例の斜視図である。
【図７】従来のアダプタ・ヘッドの使用状態の模式図である。
【図８】従来のアダプタ装置の使用状態の模式図である。
【符号の説明】
【００２２】
1  本体  
2  第1電気コネクター
3  第2電気コネクター
4  導通ユニット
5  信号コード
6  電子装置
11  組立孔
12  収容空間
13  表示灯
21  回転ホルダー
22  信号端子
23  接触部
24  信号コード
31  信号端子
41  回路基板
42  線路
43  環状軌道
51  第3電気コネクター
61  第4電気コネクター
80  信号コード
81  プラグ
82  アダプタ・ヘッド
90  アダプタ装置
91  本体
92  プラグ
93  信号コード
94  プラグ
95  電子装置
【図１】
0003111622.tif 000003
【図２】
0003111622.tif 000004
【図３】
0003111622.tif 000005
【図４】
0003111622.tif 000006
【図５】
0003111622.tif 000007
【図６】
0003111622.tif 000008
【図７】
0003111622.tif 000009
【図８】
0003111622.tif 000010